(57)【要約】【課題】液体供給装置の補給口を閉める作業を小さい力でも行なうことができるようにする。【解決手段】液体供給装置は、機器本体の内部に格納し、前記機器の動作に応じて液体を前記機器本体に供給するための液体供給装置であって、補給口４４を有するタンク部１２と、補給口４４を塞ぐための補給口キャップ３０１と、タンク部１２に固定された軸３０８を中心に回動することによって補給口４４を開閉する補給口キャップベース５０６とを備え、補給口キャップ３０１は、補給口キャップベース５０６に対する傾きを変えうるように補給口キャップベース５０６によって柔軟に支持される。【選択図】　　　　図３
2004044986.tif 000002
【特許請求の範囲】
【請求項１】
機器本体の内部に格納し、前記機器の動作に応じて液体を前記機器本体に供給するための液体供給装置であって、
前記液体を補給するための補給口を有するタンク部と、
前記補給口を塞ぐための補給口キャップと、
前記タンク部に固定された軸を中心に回動することによって前記補給口を開閉する補給口キャップベースとを備え、
前記補給口キャップは、前記補給口キャップベースに対する傾きを変えうるように前記補給口キャップベースによって柔軟に支持される、液体供給装置。
【請求項２】
前記補給口キャップの前記補給口キャップベースへの取り付けは、前記補給口キャップに対して略垂直に延び、前記補給口キャップベースに対して一定範囲で変位しうるように係合された変位制限部材と、前記変位制限部材と平行に配置されたばねとを介して行なわれている、請求項１に記載の液体供給装置。
【請求項３】
前記補給口キャップによって前記補給口を塞いだ状態を維持するための可動部係止レバーが前記補給口キャップベースに、一定範囲で変位しうるように係合されており、
前記可動部係止レバーは、先端に鉤状部を含み、
前記補給口キャップベースは、ばねの一端を保持するためのばね保持部を含み、
前記可動部係止レバーと前記ばね保持部との間に、前記鉤状部の先端が向いている側に向かって前記可動部係止レバーが回動するように付勢するためのばねが介在している、請求項１に記載の液体供給装置。
【請求項４】
請求項１から３のいずれかに記載の液体供給装置を備える、液体燃料燃焼装置。
【発明の詳細な説明】
【０００１】
【発明の属する技術分野】
本発明は、石油ファンヒータや石油ストーブなどの液体燃料燃焼装置に関するものである。さらに、液体燃料燃焼装置や加湿器などのように液体を用いて動作する装置に搭載される、液体供給装置に関するものである。
【０００２】
【従来の技術】
図１２を参照して、従来の液体燃料燃焼装置の一例としての石油ファンヒータの外観について説明する。この石油ファンヒータにおいては、燃焼部や液体供給装置は、筐体１に収納されている。なお、液体供給装置という概念には、ひとまとまりの装置として取り扱われる、いわゆる「燃料タンク」が含まれる。
【０００３】
図１２に示すように、筐体１の下部には、室内に温風を吹出す吹出口２が形成されている。筐体１の上面を塞ぐ上板８には、運転状態を切換えるスイッチ類が収まった操作部３が配置されている。上板８の一角には、開口部があり、この開口部を通じて筐体１の内部に液体供給装置が格納されている。したがって、液体供給装置の一部であるタンク部上板４００が露出している。タンク部上板４００には取っ手４０１が含まれており、使用者が液体供給装置を機器本体内に設置したり、機器本体内から取り出したりする際にはこの取っ手４０１を起こして持つことによって液体供給装置を持ち上げる。
【０００４】
この液体供給装置１００だけを筐体１から取り出した状態を図１３に示す。この液体供給装置１００は、タンク部１２の上側にタンク部上板４００を備える。タンク部４００には補給口４４があり、補給口４４の上方に当たる位置にはタンク部上板４００と連続な面をなすように補給口外蓋４０２を備える。補給口外蓋４０２近傍の断面図を図１４に示す。図１３、図１４は、補給口４４、補給口外蓋４０２とも閉まっている状態を示す。
【０００５】
図１４に示すように、タンク部１２の上部に斜めに設けられた補給口設置面３００の中央に補給口４４が配置されており、補給口設置面３００上には、補給口４４の脇の一方に軸３０８が固定保持されている。軸３０８を回転軸として回動自在に、可動部３３０が支持されている。可動部３３０は、補給口キャップベース３０６と補給口キャップフレーム３０７とを含む。可動部３３０の上側には、補給口外蓋４０２が固定されている。軸３０８の周りには付勢手段としてスプリング３１２が設けられており、可動部３３０は、スプリング３１２によって補給口設置面３００との間でなす角度が大きくなる向きに付勢されている。
【０００６】
可動部３３０の先端部には、可動部係止部３０４が取り付けられている。可動部係止部３０４には、可動部係止レバー３０２と、係止レバースプリング３０３とが含まれる。可動部係止レバー３０２は、可動部３３０の先端部に固定された軸３１１を回転軸に回動自在に支持されており、係止レバースプリング３０３によって先端が補給口４４に接近する向き（図１４における時計回り）に付勢されている。可動部係止レバー３０２は、先端に鉤状部３１０を有する。一方、バー３０９は、補給口設置面３００から浮かせて保持されている。補給口キャップ３０１が補給口４４を塞ぐときには、可動部係止レバー３０２は、バー３０９を鉤状部３１０に係合させることによって、スプリング３１２の付勢に抗して姿勢を保持することができる。補給口外蓋４０２は、可動部３３０の上面を覆うのみならず、外縁部において下方に向けて板状部材として延在するように一体成形されており、下方に向けて延在する部分は可動部係止部３０４を側方から覆っている。
【０００７】
可動部３３０の上側にはボタン３０５が配置されている。液体供給装置１００を筐体１内から取り出した状態では、図１３、図１４に示すように、ボタン３０５は、補給口外蓋４０２に設けられたボタン操作用開口部３１６から露出している。図１４の矢印６１に示すように、使用者が指を差し入れ、ボタン３０５を押し下げることによって、可動部係止レバー３０２は、ボタン３０５に押されて、軸３１１の周りに、係止レバースプリング３０３の付勢に抗して鉤状部３１０をバー３０９から離す向き（図１４における反時計回り）に回転する。その結果、鉤状部３１０のバー３０９に対する係止が解除され、可動部３３０は、スプリング３１２の付勢によって軸３０８の周りに回転し、補給口キャップ３０１は、補給口４４から離される。可動部３３０が回転することによって、可動部３３０に対して固定されている補給口外蓋４０２も開く。こうして、補給口４４と補給口外蓋４０２とが同時に開く。補給口４４と補給口外蓋４０２とが開いた状態を、図１５に示す。
【０００８】
【発明が解決しようとする課題】
従来の液体供給装置１００の補給口キャップ３０１近傍の断面を図１６に示す。図１６からは、補給口キャップ３０１が、金属製の枠によって側方への動きを拘束され、キャップスプリング３１４によって上下方向には変位可能なように保持されている様子がわかる。
【０００９】
従来の液体供給装置１００において、図１５に示すように開いた状態から補給口４４を閉めるときの様子を図１７、図１８に示す。補給口４４を閉めるためには、図１７に示す矢印６３の向きに補給口外蓋４０２を手で押して、可動部３３０ごと補給口キャップ３０１を、軸３０８を中心として回転させ、可動部係止レバー３０２がバー３０９に完全に係合するまで押し込む必要がある。この回転の途中で、図１８に示すように、まず補給口キャップ３０１のうち軸３０８に近い側の特定の部分６４が最初に補給口４４の突出した部分である補給口突出部４５に接触する。補給口キャップ３０１は金属製の補給口突出部４５に押しつけられることとなる。図１６から明らかなように補給口キャップ３０１は金属製の枠に嵌め込まれることで姿勢を拘束されており、補給口キャップ３０１はパッキンの役割を果たしうるために弾性材料、具体的にはゴムで形成されており、一方、補給口突出部４５は金属製であるので、補給口キャップ３０１と補給口突出部４５との間で強い摩擦を生じる。この摩擦は、可動部３３０を回転させようとする使用者に強い抵抗力を感じさせる。そのため、補給口４４を閉める作業を完遂するには図１８の状態となってから以降に強い力が必要となり、使用者に負担感を与えていた。
【００１０】
また、従来の液体供給装置は、図１４、図１６に示すように補給口外蓋４０２の内部の構造が複雑で、部品点数も多く、組立作業も煩雑なものとなっていた。
【００１１】
そこで、本発明は、補給口を閉める作業を小さい力でも行なうことができ、部品点数が少なく、組立作業の簡単な液体供給装置を提供することを目的とする。さらに、この液体供給装置を備える液体燃料燃焼装置を提供することを目的とする。
【００１２】
【課題を解決するための手段】
上記目的を達成するため、本発明に基づく液体供給装置は、機器本体の内部に格納し、前記機器の動作に応じて液体を前記機器本体に供給するための液体供給装置であって、前記液体を補給するための補給口を有するタンク部と、前記補給口を塞ぐための補給口キャップと、前記タンク部に固定された軸を中心に回動することによって前記補給口を開閉する補給口キャップベースとを備え、前記補給口キャップは、前記補給口キャップベースに対する傾きを変えうるように前記補給口キャップベースによって柔軟に支持される。この構成を採用することにより、補給口キャップが補給口突出部に接触したときに補給口キャップの姿勢は柔軟に変わることができ、その結果、強く押し当てられることを避けることができる。そのため、補給口キャップと補給口突出部との間で生じる摩擦は低減され、使用者は閉める作業を従来より小さな力で行なうことができる。
【００１３】
上記発明において好ましくは、前記補給口キャップの前記補給口キャップベースへの取り付けは、前記補給口キャップに対して略垂直に延び、前記補給口キャップベースに対して一定範囲で変位しうるように係合された変位制限部材と、前記変位制限部材と平行に配置されたばねとを介して行なわれている。この構成を採用することにより、前記補給口キャップベースに対する補給口キャップの傾きが変化しうる取付けを少ない部品点数で簡単に実現することができる。
【００１４】
上記発明において好ましくは、前記補給口キャップによって前記補給口を塞いだ状態を維持するための可動部係止レバーが前記補給口キャップベースに、一定範囲で変位しうるように係合されており、前記可動部係止レバーは、先端に鉤状部を含み、前記補給口キャップベースは、ばねの一端を保持するためのばね保持部を含み、前記可動部係止レバーと前記ばね保持部との間に、前記鉤状部の先端が向いている側に向かって前記可動部係止レバーが回動するように付勢するためのばねが介在している。この構成を採用することにより、２点の部品だけで可動部を係止する機構を構成することができるので、可動部係止部を構成するための部品点数が従来技術によるものより格段に少なくなり、その結果、組立作業も容易となる。
【００１５】
上記目的を達成するため、本発明に基づく液体燃料燃焼装置は、上述のいずれかの液体供給装置を備える。この構成を採用することにより、使用者は小さな力で液体供給装置の補給口を閉めることができるので、使用者にかかる負担を軽減した液体燃焼燃焼装置とすることができる。
【００１６】
【発明の実施の形態】
（実施の形態１）
（構成）
図１〜図９を参照して、本発明に基づく実施の形態１における液体供給装置について説明する。この液体供給装置２００の外観を図１、図２に示す。図１は、補給口外蓋６０２が閉まっている状態を示し、図２は、補給口外蓋６０２が開くことにより補給口４４が開いている状態を示す。図１では、補給口４４は補給口外蓋６０２の下に隠れて見えていないが閉まっている。
【００１７】
この液体供給装置２００は、内部に液体を保持するためのタンク部１２の上部に樹脂で形成されたタンク部上板６００が取り付けられており、タンク部上板６００には、取っ手６０１を収納する凹部が設けられて取っ手６０１がこの凹部に収まっている。取っ手６０１は、タンク部上板６００から引き起こすことができるようになっている。
【００１８】
補給口外蓋６０２は樹脂で形成されており、その上面は、補給口外蓋６０２を閉じた状態では図１に示すようにタンク部上板６００と連続した面を形成するようになっている。補給口外蓋６０２の上面には、補給口４４を開けるためのボタン５０５が配置されている。
【００１９】
補給口４４の近傍の断面図を、図３に示す。図３は、補給口４４、補給口外蓋６０２とも閉じている状態を示す。タンク部１２の上部に斜めに設けられた補給口設置面３００の中央に補給口４４が配置されている。補給口設置面３００上には、補給口４４を取り囲むように、金属板で一体形成された補給口キャップダイ５１３が固定されている。補給口キャップダイ５１３は、その一端に軸３０８を固定保持しており、軸３０８を回転軸として回動自在に、補給口キャップベース５０６が支持されている。補給口キャップベース５０６の上側には、補給口外蓋６０２が固定されている。
【００２０】
軸３０８の周りには付勢手段としてスプリング５１２が設けられており、補給口キャップベース５０６は、スプリング５１２によって補給口キャップダイ５１３との間でなす角度が大きくなる向きに付勢されている。補給口キャップベース５０６の下側には、キャップスプリング３１４を介して補給口キャップ３０１が接続されている。キャップスプリング３１４は、補給口キャップ３０１を補給口設置面３００に向けて付勢するように配置されている。補給口キャップ３０１は、下側にパッキンを有し、補給口キャップベース５０６が補給口設置面３００となす角度がほぼ０になったときに補給口４４を塞ぐように保持されている。
【００２１】
補給口キャップベース５０６の先端近傍には、可動部係止部５０４が取り付けられている。可動部係止部５０４には、可動部係止レバー５０２と、係止レバースプリング５０３とが含まれる。可動部係止レバー５０２は、途中で折れ曲がった「く」の字形をしており、折れ曲がる点近傍で補給口キャップベース５０６に当接しており、この当接する点を支点として回動可能なように保持されている。可動部係止レバー５０２は、係止レバースプリング５０３によって先端が補給口４４に接近する向き（図３における時計回り）に付勢されている。可動部係止レバー５０２は、先端に鉤状部３１０を有する。一方、補給口キャップダイ５１３は、バー３０９を、補給口設置面３００から浮かせて保持している。補給口キャップ３０１が補給口４４を塞ぐときには、補給口キャップベース５０６は、バー３０９を可動部係止レバー５０２の鉤状部３１０に係合させることによって、スプリング５１２の付勢に抗して姿勢を保持することができる。補給口キャップベース５０６や可動部係止部５０４は、補給口外蓋６０２から下方に向けて延在する樹脂製の係止部カバー５１５によって側方から覆い隠されている。
【００２２】
補給口外蓋６０２には円形の穴があいており、この穴からボタン５０５が露出している。このボタン５０５は、一体化部材５２３の一部である。一体化部材５２３は、樹脂で一体成形された部品である。一体化部材５２３は、ボタン５０５のほかに、作用部５２２、ストッパ部５２１を含む。一体化部材５２３は、図３に示すように補給口外蓋６０２の裏面にねじ留めされている。
【００２３】
（動作）
図３の状態（ただし、液体供給装置２００を筐体１の外へ取り出した状態）でボタン５０５が矢印６２の向きに押圧されると、一体化部材５２３は図４に示すように変形する。この場合、図４に示されるように、作用部５２２が可動部係止レバー５０２の上部に当接する。作用部５２２は主に下方に向かって変位するが、可動部係止レバー５０２の上部は、斜めになっているので作用部５２２に押されることで図中左側に変位する。この変位は、係止レバースプリング５０３の付勢に抗して行なわれる。可動部係止レバー５０２の上部が図中左側に変位させられることによって、可動部係止レバー５０２は図中反時計回りに回転するので、鉤状部３１０は図中右向きに変位する。その結果、図４に示すように鉤状部３１０のバー３０９に対する係止が解除され、補給口キャップベース５０６は、スプリング５１２の付勢によって軸３０８の周りに回転し、補給口キャップ３０１は、補給口４４から離される。補給口キャップベース５０６が回転することによって、補給口キャップベース５０６に対して固定されている補給口外蓋６０２も連動して開く。こうして、図５に示すように補給口４４と補給口外蓋６０２とが同時に開く。この状態での液体供給装置の外観は、既に図２に示したとおりである。
【００２４】
（各部の構成）
以下に、本実施の形態における液体供給装置の特徴的な部分の構成および作用・効果についてより詳しく説明する。
【００２５】
（１．補給口キャップの取付け方）
本実施の形態における液体供給装置２００のうち、補給口キャップベース５０６を含む一部の部品のみを取り出したところを図６に示す。補給口キャップベース５０６は、図７（ａ），（ｂ）に示すように、金属板を所定の形状に打抜いて、折り曲げることによって製作されている。以下、図６においては補給口キャップベース５０６のうち軸３０８が通る穴５５３のある側を根元側（図中左上側）、その反対側を先端側（図中右下側）として説明する。補給口キャップベース５０６は、平行に配置された２つの側板部を含み、２つの側板部は、根元側において板状部５２６によって結ばれている。先端側においては、２つの側板部を結ぶ板状部の途中からさらに先端側に向けて板状部５１７が斜めに延在している。板状部５１７にはねじ穴５３１が設けられている。補給口キャップベース５０６の補給口外蓋６０２に対する固定は、図３に示すように、板状部５２６に爪５２５を掛け、なおかつ、ねじ穴５３１を貫通するようにねじ５１８を締めることによって行われる。
【００２６】
図６に示すように、補給口キャップベース５０６の下側には、補給口キャップ３０１が取り付けられている。補給口キャップ３０１は、金属製の皿状体５２７とパッキン部材５２９とを含む。皿状体５２７は、図８（ａ），（ｂ）に示す形状の部品であり、組立て後の構成においては、図５に示すように、皿状体５２７の外側にパッキン部材５２９がかぶせられている。補給口キャップ３０１の補給口キャップベース５０６に対する接続は、変位制限部材としての連結部材５２８によって行なう。「変位制限部材」とは、補給口キャップの一定範囲の変位は許すがそれ以上の変位はしないように制限するための部材という趣旨である。連結部材５２８は、図９（ａ）〜（ｃ）に示すように、金属板を所定の形状に打抜いて、折り曲げることによって製作されている。連結部材５２８は、底面５７３から立ち上がり部５７４，５７５がほぼ垂直に延在する形状をしており、立ち上がり部５７４の上部においては両脇に向かって係止部５７６が突出している。組立て時には、皿状体５２７の下側から連結部材５２８を挿入する。このとき連結部材５２８の立ち上がり部５７４，５７５が皿状体５２７のスリット５７１，５７２をそれぞれ貫通するようにする。この後、パッキン部材５２９を皿状体５２７の外側にかぶせる。こうすると連結部材５２８の底面５７３は、パッキン部材５２９によって覆い隠され、皿状体５２７と連結部材５２８とは互いに組み合わせられた状態を維持することができる。さらにキャップスプリング５１４を、立ち上がり部５７４を取り囲むように配置し、これを補給口キャップベース５０６に対して開口部５５１の下方から組み込み、両脇の係止部５７６が補給口キャップベース５０６の両脇の切欠き５５４にそれぞれ掛けられる。ただし、切欠き５５４の幅は係止部５７６の板厚に比べてやや大きくなっており、係止部５７６は切欠き５５４の内部である程度姿勢を変えることができるようになっている。こうして、図６に示すように、補給口キャップ３０１が補給口キャップベース５０６の下側に取り付けられている。
【００２７】
（作用・効果）
この液体供給装置２００では、図５、図６に示されるように補給口キャップ３０１が補給口キャップベース５０６に対して、連結部材５２８およびキャップスプリング５１４を介して取り付けられており、連結部材５２８の係止部５７６（図６参照）は補給口キャップベース５０６の切欠き５５４に対して遊びを有しているので、補給口キャップ３０１は補給口キャップベース５０６に対する傾きを柔軟に変えることができる。したがって、図１８を参照して説明したように、補給口４４を閉めるための動きの途中で補給口キャップ３０１の一部が補給口突出部４５に接触したとしても、その接触具合によって補給口キャップ３０１の姿勢は柔軟に変わることができ、その結果、強く押し当てられることを避けることができる。そのため、補給口キャップ３０１と補給口突出部４５との間で生じる摩擦は低減され、使用者は閉める作業を従来より小さな力で行なうことができるようになる。
【００２８】
ここでは、連結部材５２８およびキャップスプリング５１４を介することによって、補給口キャップ３０１の補給口キャップベース５０６に対する傾きを変更可能としたが、他の部品や構造によって傾きを変更可能としてもよい。
【００２９】
（２．可動部係止レバーの取付け方）
さらに図６を参照して、本実施の形態における液体供給装置２００のより好ましい構成について説明する。補給口キャップベース５０６の先端近傍には、上述のように可動部係止部５０４が取り付けられている。可動部係止部５０４に含まれる部品である可動部係止レバー５０２は、図１０（ａ），（ｂ）に示すように、金属板を所定の形状に打抜いて、折り曲げることによって製作されている。可動部係止レバー５０２は、上部に係止レバースプリング５０３を保持するための突起５７７を備え、中間部の両脇には係止部５７８が突出している。さらに下部には、鉤状部３１０を備えている。このような形状の可動部係止レバー５０２は、組立て時には、補給口キャップベース５０６の先端側の開口部５５２（図７（ａ）参照）を貫通し、両脇の係止部５７８が補給口キャップベース５０６の両脇の切欠き５５５（図７（ｂ）参照）にそれぞれ掛けられる。ただし、可動部係止レバー５０２の突起５７７と、補給口キャップベース５０６の突起５５６とは、互いに対向する位置関係となり、コイルばねである係止レバースプリング５０３の両端にそれぞれ挿入される。こうして、図６に示すように、可動部係止レバー５０２および係止レバースプリング５０３が補給口キャップベース５０６の先端部に取り付けられる。切欠き５５５は、内部で係止部５７８が姿勢を変えられるように略Ｖ字形となっている。切欠き５５５の入口には脱落防止部５５８が張り出している。
【００３０】
（作用・効果）
補給口キャップベース５０６には可動部係止レバー５０２の切欠き５５５からの脱落を防止するために脱落防止部５５８が設けられていることから、可動部係止レバー５０２の図７（ｂ）における上方への脱落は防止される。この状態で係止レバースプリング５０３は、突起５５６と突起５７７とによって支持され、可動部係止レバー５０２の上部を補給口キャップベース５０６から遠ざける向きに付勢し続けることとなる。ただし、可動部係止レバーストッパ部５５７が可動部係止レバー５０２の上部の図７（ｂ）における時計回りの回転をくい止めるように突出しているので、可動部係止レバー５０２は係止レバースプリング５０３の付勢によっても一定の姿勢までしか変位しない。係止部５７８は、切欠き５５５の内部で遊びを有するので、可動部係止レバー５０２は、係止部５７８の下端と切欠き５５５の下端とが接する点を支点に回動することができる。
【００３１】
このように、本実施の形態における液体供給装置では、可動部係止レバー５０２と、係止レバースプリング５０３との２点の部品だけで可動部係止部５０４を構成することができるので、可動部係止部を構成するための部品点数が従来技術によるものより格段に少なくなり、その結果、組立作業も容易となる。
【００３２】
なお、本実施の形態では、補給口キャップの取付け方と、可動部係止レバーの取付け方との２つについて詳しく説明したが、液体供給装置は、この２つの両方の構成が備わっていなくとも、一方の構成だけを備えるものであってもよい。もっとも、両方の構成が備わっているものであればより好ましい。
【００３３】
（液体供給装置の各種装置への適用）
以上、説明した液体供給装置は、石油ファンヒータ、石油ストーブなどの液体燃料燃焼装置に限らず、加湿器など、液体を用いて作動する装置全般に適用可能である。
【００３４】
（実施の形態２）
（液体燃料燃焼装置の構成）
図１１を参照して、本発明に基づく実施の形態２における液体燃料燃焼装置について説明する。この液体燃焼燃焼装置は、石油ファンヒータであり、実施の形態１で説明したものと同様の液体供給装置を備えている。したがって、図１０に示すように、タンク部上板６００の中に、取っ手６０１、補給口外蓋６０２が収められている。補給口外蓋６０２の下方に位置する機構については、図には表れていないが実施の形態１で説明したものと同様である。
【００３５】
（作用・効果）
この液体燃焼燃焼装置は、実施の形態１で説明した液体供給装置を備えているので、補給口キャップの補給口キャップベースに対する傾きが柔軟に変更可能である。したがって、使用者は小さな力で補給口を閉めることができる。よって、使用者にかかる負担を軽減した液体燃焼燃焼装置とすることができる。
【００３６】
また、この液体燃焼燃焼装置は、好ましくは、可動部係止部と係止レバースプリングを用いた簡単な構造によって可動部係止部を構成しているので、部品点数が少なく、組立作業が容易な液体燃焼燃焼装置とすることができる。
【００３７】
その他、この液体燃焼燃焼装置は、実施の形態１で説明した液体供給装置を備えていることにより、実施の形態１で説明したと同じ効果を奏することができる。
【００３８】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【００３９】
【発明の効果】
本発明によれば、補給口キャップが補給口突出部に接触したときに補給口キャップの姿勢は柔軟に変わることができ、その結果、強く押し当てられることを避けることができる。そのため、補給口キャップと補給口突出部との間で生じる摩擦は低減され、使用者は補給口を閉める作業を従来より小さな力で行なうことが可能となる。
【図面の簡単な説明】
【図１】本発明に基づく実施の形態１における液体供給装置の、補給口外蓋を閉じた状態の斜視図である。
【図２】本発明に基づく実施の形態１における液体供給装置の、補給口外蓋を開けた状態の斜視図である。
【図３】本発明に基づく実施の形態１における液体供給装置の補給口近傍の部分断面図である。
【図４】本発明に基づく実施の形態１における液体供給装置のボタンが押された状態での補給口近傍の部分断面図である。
【図５】本発明に基づく実施の形態１における液体供給装置の補給口が開いた状態での補給口近傍の部分断面図である。
【図６】本発明に基づく実施の形態１における液体供給装置の補給口キャップベースおよびその周辺の部品を組み立てた状態の斜視図である。
【図７】本発明に基づく実施の形態１における液体供給装置の補給口キャップベースの、（ａ）は、平面図であり、（ｂ）は側面図である。
【図８】本発明に基づく実施の形態１における液体供給装置の皿状体の、（ａ）は、平面図であり、（ｂ）は側面図である。
【図９】本発明に基づく実施の形態１における液体供給装置の連結部材の、（ａ）は側面図であり、（ｂ）は平面図であり、（ｃ）は側面図である。
【図１０】本発明に基づく実施の形態１における液体供給装置の可動部係止レバーの、（ａ）は側面図であり、（ｂ）は正面図である。
【図１１】本発明に基づく実施の形態２における液体燃料燃焼装置の斜視図である。
【図１２】従来技術に基づく液体燃料燃焼装置の斜視図である。
【図１３】従来技術に基づく液体供給装置の、補給口外蓋を閉じた状態の斜視図である。
【図１４】従来技術に基づく液体供給装置の補給口近傍の部分断面図である。
【図１５】従来技術に基づく液体供給装置の、補給口外蓋を開けた状態の斜視図である。
【図１６】従来技術に基づく液体供給装置の可動部の部分断面図である。
【図１７】従来技術に基づく液体供給装置において、補給口を閉める作業の第１の説明図である。
【図１８】従来技術に基づく液体供給装置において、補給口を閉める作業の第２の説明図である。
【符号の説明】
１　筐体、２　吹出口、３　操作部、８　上板、１２　タンク部、１３　段差、４４　補給口、４５　補給口突出部、６１，６２，６３　矢印、６４　（補給口キャップが補給口に接触する）部分、１００，１５０　液体供給装置、３００補給口設置面、３０１　補給口キャップ、３０２，５０２　可動部係止レバー、３０３，５０３　係止レバースプリング、３０４，５０４　可動部係止部、３０５，５０５　（可動部の係止解除のための）ボタン、３０６，５０６　補給口キャップベース、３０７　補給口キャップフレーム、３０８　（可動部の）軸、３０９　（可動部係止部の）バー、３１０　鉤状部、３１１　（可動部係止レバーの）軸、３１２，５１２　（可動部の）スプリング、３１４，５１４　キャップスプリング、３１６　ボタン操作用開口部、４００，６００　タンク部上板、４０１，６０１　取っ手、４０２，６０２　補給口外蓋、５１５　係止部カバー、５１７　（補給口キャップベースの先端の）板状部、５１８　ねじ、５２１　ストッパ部、５２２　作用部、５２３　一体化部材、５２４　（係止部カバーの）開口部、５２５　爪、５２６　（補給口キャップベースの根元の）板状部、５２７　皿状体、５２８　（皿状体をつなぐための）連結部材、５２９　パッキン部材、５３１　（補給口キャップベースの先端の）ねじ穴、５３２　（一体化部材の）締付穴、５３３　（一体化部材の）くびれ部、５３４　（係止部カバーの）穴、５５１，５５２　（補給口キャップベースの）開口部、５５３　（可動部の回転軸を通すための）穴、５５４，５５５　切欠き、５５６　（補給口キャップベースにばねを保持するための）突起、５５７　可動部係止レバーストッパ部、５５８　脱落防止部、５７１，５７２　（皿状体の）スリット、５７３　（連結部材の）底面、５７４，５７５　（連結部材の）立ち上がり部、５７６　（連結部材の）係止部、５７７　（可動部係止レバーにばねを保持するための）突起、５７８　（可動部係止レバーの）係止部、５７９　（可動部係止レバーの回動を制限するための）突起、５８８　（可動部係止レバーの）係止部。
【図１】
2004044986.tif 000003
【図２】
2004044986.tif 000004
【図３】
2004044986.tif 000005
【図４】
2004044986.tif 000006
【図５】
2004044986.tif 000007
【図６】
2004044986.tif 000008
【図７】
2004044986.tif 000009
【図８】
2004044986.tif 000010
【図９】
2004044986.tif 000011
【図１０】
2004044986.tif 000012
【図１１】
2004044986.tif 000013
【図１２】
2004044986.tif 000014
【図１３】
2004044986.tif 000015
【図１４】
2004044986.tif 000016
【図１５】
2004044986.tif 000017
【図１６】
2004044986.tif 000018
【図１７】
2004044986.tif 000019
【図１８】
2004044986.tif 000020